【手続補正書】
【提出日】平成22年2月17日(2010.2.17)
【手続補正１】
【補正対象書類名】特許請求の範囲
【補正対象項目名】請求項１
【補正方法】変更
【補正の内容】
【請求項１】
一般式（Ｉ）で表される側鎖構造を有するジアミン（ただし下記式（Ｉ'）で表されるジアミンを除く）。
【化１】
2008058948.tif 000001
［式（Ｉ）中、
Ａ1は、単結合、−Ｏ−、−ＣＯＯ−、−ＯＣＯ−、−ＣＯ−、−ＣＯＮＨ−または−（ＣＨ2）m−であり、ｍは１〜６の整数であり、
Ｒ1は、下記式（ＩＩ−Ａ）で表される基、または下記式（ＩＩ−Ｂ）で表される基である。］
【化２】
2008058948.tif 000002
［式（ＩＩ−Ａ）において、
Ａ2およびＡ3はそれぞれ独立して、単結合、−Ｏ−、−ＣＯＯ−、−ＯＣＯ−、−  ＣＯＮＨ−、−ＣＨ＝ＣＨ−または炭素数１〜１２のアルキレンであり、
Ｒ2およびＲ3はそれぞれ独立して、−Ｈ、−Ｆまたは−ＣＨ3であり、
環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり、
Ｒ4は−Ｆ、炭素数１〜３０のアルキル、炭素数１〜３０のフッ素置換アルキル、−ＯＣＨ2Ｆ、−ＯＣＨＦ2または−ＯＣＦ3であり、
ａおよびｂはそれぞれ独立して０〜４の整数を表し、
ｃ、ｄおよびｅはそれぞれ独立して０〜３の整数を表し、ｅが２または３であるとき複数の環Ｓは同一の基であっても異なる基であってもよく、
ｆおよびｇはそれぞれ独立して０〜２の整数を表し、かつ
ｃ＋ｄ＋ｅ≧１である。］
［式（ＩＩ−Ｂ）において、
Ａ2およびＡ3はそれぞれ独立して、単結合、−Ｏ−、−ＣＯＯ−、−ＯＣＯ−、−  ＣＯＮＨ−、−ＣＨ＝ＣＨ−または炭素数１〜１２のアルキレンであり、
Ｒ2は、−Ｈ、−Ｆまたは−ＣＨ3であり、
Ｒ5はそれぞれ独立して、−Ｈまたは−ＣＨ3であり、
Ｒ6は、−Ｈ、炭素数１〜２０のアルキルまたは炭素数２〜２０のアルケニルであり、
ａおよびｂはそれぞれ独立して０〜４の整数を表し、
ｃおよびｄはそれぞれ独立して０〜３の整数を表わし、ｅは０〜２の整数であり、
環Ｔはシクロヘキサンまたはシクロヘキセンである。］
［式（Ｉ'）中、Ｒ26は水素原子であり、
５個のＲ27は、それぞれ独立に、水素原子；ハロゲン原子；または酸素原子、窒素原子、イオウ原子もしくはケイ素原子を含む連結基を有していてもよい置換もしくは非置換の炭素原子数１〜３０の１価の炭化水素基；または１価の極性基を表し、Ｒ27の少なくとも一つはフッ素原子を含む置換基であるか、又は
５個のＲ27の一つは炭素数１〜３０のアルコキシを表し、残りは水素原子を表す。］
【手続補正２】
【補正対象書類名】特許請求の範囲
【補正対象項目名】請求項１２
【補正方法】変更
【補正の内容】
【請求項１２】
下記一般式（Ｉ）で表される側鎖構造を有するジアミン（ただし下記式（Ｉ'）で表されるジアミンを除く）を用いて得られるポリマーを含有することを特徴とする液晶配向剤。
【化１４】
2008058948.tif 000003
［式（Ｉ）中、
Ａ1は、単結合、−Ｏ−、−ＣＯＯ−、−ＯＣＯ−、−ＣＯ−、−ＣＯＮＨ−または−（ＣＨ2）m−であり、ｍは１〜６の整数であり、
Ｒ1は、下記式（ＩＩ−Ａ）で表される基、または下記式（ＩＩ−Ｂ）で表される基である。］
【化１５】
2008058948.tif 000004
［式（ＩＩ−Ａ）において、
Ａ2およびＡ3はそれぞれ独立して、単結合、−Ｏ−、−ＣＯＯ−、−ＯＣＯ−、−ＣＯＮＨ−、−ＣＨ＝ＣＨ−または炭素数１〜１２のアルキレンであり、
Ｒ2およびＲ3はそれぞれ独立して、−Ｈ、−Ｆまたは−ＣＨ3であり、
環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり
、
Ｒ4は−ＯＨ、−Ｈ、−Ｆ、炭素数１〜３０のアルキル、炭素数１〜３０のフッ素置換アルキル、炭素数１〜３０のアルコキシ、−ＣＮ、−ＯＣＨ2Ｆ、−ＯＣＨＦ2または−ＯＣＦ3であり、
ａおよびｂはそれぞれ独立して０〜４の整数を表し、
ｃ、ｄおよびｅはそれぞれ独立して０〜３の整数を表し、ｅが２または３であるとき複数の環Ｓは同一の基であっても異なる基であってもよく、
ｆおよびｇはそれぞれ独立して０〜２の整数を表し、かつ
ｃ＋ｄ＋ｅ≧１である。］
［式（ＩＩ−Ｂ）において、
Ａ2およびＡ3はそれぞれ独立して、単結合、−Ｏ−、−ＣＯＯ−、−ＯＣＯ−、−  ＣＯＮＨ−、−ＣＨ＝ＣＨ−または炭素数１〜１２のアルキレンであり、
Ｒ2は、−Ｈ、−Ｆまたは−ＣＨ3であり、
Ｒ5はそれぞれ独立して、−Ｈまたは−ＣＨ3であり、
Ｒ6は、−Ｈ、炭素数１〜２０のアルキルまたは炭素数２〜２０のアルケニルであり、
ａおよびｂはそれぞれ独立して０〜４の整数を表し、
ｃおよびｄはそれぞれ独立して０〜３の整数を表わし、ｅは０〜２の整数であり、
環Ｔはシクロヘキサンまたはシクロヘキセンである。］
［式（Ｉ'）中、Ｒ26は水素原子であり、
５個のＲ27は、それぞれ独立に、水素原子；ハロゲン原子；または酸素原子、窒素原子、イオウ原子もしくはケイ素原子を含む連結基を有していてもよい置換もしくは非置換の炭素原子数１〜３０の１価の炭化水素基；または１価の極性基を表し、Ｒ27の少なくとも一つはフッ素原子を含む置換基であるか、又は
５個のＲ27の一つは炭素数１〜３０のアルコキシを表し、残りは水素原子を表す。］
【手続補正３】
【補正対象書類名】明細書
【補正対象項目名】００１１
【補正方法】変更
【補正の内容】
【００１１】
本発明は以下の構成からなる。
［１］
一般式（Ｉ）で表される側鎖構造を有するジアミン（ただし下記式（Ｉ'）で表されるジアミンを除く）。
【手続補正４】
【補正対象書類名】明細書
【補正対象項目名】００１３
【補正方法】変更
【補正の内容】
【００１３】
【化２】
2008058948.tif 000005
［式（ＩＩ−Ａ）において、
Ａ2およびＡ3はそれぞれ独立して、単結合、−Ｏ−、−ＣＯＯ−、−ＯＣＯ−、−  ＣＯＮＨ−、−ＣＨ＝ＣＨ−または炭素数１〜１２のアルキレンであり、
Ｒ2およびＲ3はそれぞれ独立して、−Ｈ、−Ｆまたは−ＣＨ3であり、
環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり、
Ｒ4は−Ｆ、炭素数１〜３０のアルキル、炭素数１〜３０のフッ素置換アルキル、−ＯＣＨ2Ｆ、−ＯＣＨＦ2または−ＯＣＦ3であり、
ａおよびｂはそれぞれ独立して０〜４の整数を表し、
ｃ、ｄおよびｅはそれぞれ独立して０〜３の整数を表し、ｅが２または３であるとき複数の環Ｓは同一の基であっても異なる基であってもよく、
ｆおよびｇはそれぞれ独立して０〜２の整数を表し、かつ
ｃ＋ｄ＋ｅ≧１である。］
［式（ＩＩ−Ｂ）において、
Ａ2およびＡ3はそれぞれ独立して、単結合、−Ｏ−、−ＣＯＯ−、−ＯＣＯ−、−  ＣＯＮＨ−、−ＣＨ＝ＣＨ−または炭素数１〜１２のアルキレンであり、
Ｒ2は、−Ｈ、−Ｆまたは−ＣＨ3であり、
Ｒ5はそれぞれ独立して、−Ｈまたは−ＣＨ3であり、
Ｒ6は、−Ｈ、炭素数１〜２０のアルキルまたは炭素数２〜２０のアルケニルであり、
ａおよびｂはそれぞれ独立して０〜４の整数を表し、
ｃおよびｄはそれぞれ独立して０〜３の整数を表わし、ｅは０〜２の整数であり、
環Ｔはシクロヘキサンまたはシクロヘキセンである。］
［式（Ｉ'）中、Ｒ26は水素原子であり、
５個のＲ27は、それぞれ独立に、水素原子；ハロゲン原子；または酸素原子、窒素原子、イオウ原子もしくはケイ素原子を含む連結基を有していてもよい置換もしくは非置換の
炭素原子数１〜３０の１価の炭化水素基；または１価の極性基を表し、Ｒ27の少なくとも一つはフッ素原子を含む置換基であるか、又は
５個のＲ27の一つは炭素数１〜３０のアルコキシを表し、残りは水素原子を表す。］
【手続補正５】
【補正対象書類名】明細書
【補正対象項目名】００３５
【補正方法】変更
【補正の内容】
【００３５】
［１２］
下記一般式（Ｉ）で表される側鎖構造を有するジアミン（ただし下記式（Ｉ'）で表されるジアミンを除く）を用いて得られるポリマーを含有することを特徴とする液晶配向剤。
【化１４】
2008058948.tif 000006
［式（Ｉ）中、
Ａ1は、単結合、−Ｏ−、−ＣＯＯ−、−ＯＣＯ−、−ＣＯ−、−ＣＯＮＨ−または−（ＣＨ2）m−であり、ｍは１〜６の整数であり、
Ｒ1は、下記式（ＩＩ−Ａ）で表される基、または下記式（ＩＩ−Ｂ）で表される基である。］
【化１５】
2008058948.tif 000007
［式（ＩＩ−Ａ）において、
Ａ2およびＡ3はそれぞれ独立して、単結合、−Ｏ−、−ＣＯＯ−、−ＯＣＯ−、−ＣＯ
ＮＨ−、−ＣＨ＝ＣＨ−または炭素数１〜１２のアルキレンであり、
Ｒ2およびＲ3はそれぞれ独立して、−Ｈ、−Ｆまたは−ＣＨ3であり、
環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり、
Ｒ4は−ＯＨ、−Ｈ、−Ｆ、炭素数１〜３０のアルキル、炭素数１〜３０のフッ素置換アルキル、炭素数１〜３０のアルコキシ、−ＣＮ、−ＯＣＨ2Ｆ、−ＯＣＨＦ2または−ＯＣＦ3であり、
ａおよびｂはそれぞれ独立して０〜４の整数を表し、
ｃ、ｄおよびｅはそれぞれ独立して０〜３の整数を表し、ｅが２または３であるとき複数の環Ｓは同一の基であっても異なる基であってもよく、
ｆおよびｇはそれぞれ独立して０〜２の整数を表し、かつ
ｃ＋ｄ＋ｅ≧１である。］
［式（ＩＩ−Ｂ）において、
Ａ2およびＡ3はそれぞれ独立して、単結合、−Ｏ−、−ＣＯＯ−、−ＯＣＯ−、−ＣＯＮＨ−、−ＣＨ＝ＣＨ−または炭素数１〜１２のアルキレンであり、
Ｒ2は、−Ｈ、−Ｆまたは−ＣＨ3であり、
Ｒ5はそれぞれ独立して、−Ｈまたは−ＣＨ3であり、
Ｒ6は、−Ｈ、炭素数１〜２０のアルキルまたは炭素数２〜２０のアルケニルであり、
ａおよびｂはそれぞれ独立して０〜４の整数を表し、
ｃおよびｄはそれぞれ独立して０〜３の整数を表わし、ｅは０〜２の整数であり、
環Ｔはシクロヘキサンまたはシクロヘキセンである。］
［式（Ｉ'）中、Ｒ26は水素原子であり、
５個のＲ27は、それぞれ独立に、水素原子；ハロゲン原子；または酸素原子、窒素原子、イオウ原子もしくはケイ素原子を含む連結基を有していてもよい置換もしくは非置換の炭素原子数１〜３０の１価の炭化水素基；または１価の極性基を表し、Ｒ27の少なくとも一つはフッ素原子を含む置換基であるか、又は
５個のＲ27の一つは炭素数１〜３０のアルコキシを表し、残りは水素原子を表す。］
【手続補正６】
【補正対象書類名】明細書
【補正対象項目名】００５８
【補正方法】変更
【補正の内容】
【００５８】
＜１．本発明の側鎖構造を有するジアミン＞
本発明のジアミンは、下記一般式（Ｉ）で表される側鎖構造を有するジアミン（ただし下記式（Ｉ'）で表されるジアミンを除く）である。本発明のジアミンを用いることにより、特に電圧保持率および残留ＤＣの問題が改善された液晶表示素子用の液晶配向剤を得ることができる。
【手続補正７】
【補正対象書類名】明細書
【補正対象項目名】００６０
【補正方法】変更
【補正の内容】
【００６０】
【化３３】
2008058948.tif 000008
［式（ＩＩ−Ａ）において、
Ａ2およびＡ3はそれぞれ独立して、単結合、−Ｏ−、−ＣＯＯ−、−ＯＣＯ−、−ＣＯＮＨ−、−ＣＨ＝ＣＨ−または炭素数１〜１２のアルキレンであり、
Ｒ2およびＲ3はそれぞれ独立して、−Ｈ、−Ｆまたは−ＣＨ3であり、
環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり、
Ｒ4は−ＯＨ、−Ｈ、−Ｆ、炭素数１〜３０のアルキル、炭素数１〜３０のフッ素置換アルキル、炭素数１〜３０のアルコキシ、−ＣＮ、−ＯＣＨ2Ｆ、−ＯＣＨＦ2または−ＯＣＦ3であることが好ましく、特に好ましくは−Ｆ、炭素数１〜３０のアルキル  、炭素数１〜３０のフッ素置換アルキル、−ＯＣＨ2Ｆ、−ＯＣＨＦ2または−ＯＣＦ3であり、
ａおよびｂはそれぞれ独立して０〜４の整数を表し、
ｃ、ｄおよびｅはそれぞれ独立して０〜３の整数を表し、ｅが２または３であるとき複数の環Ｓは同一の基であっても異なる基であってもよく、
ｆおよびｇはそれぞれ独立して０〜２の整数を表し、かつ
ｃ＋ｄ＋ｅ≧１である。］
［式（ＩＩ−Ｂ）において、
Ａ2およびＡ3はそれぞれ独立して、単結合、−Ｏ−、−ＣＯＯ−、−ＯＣＯ−、−ＣＯＮＨ−、−ＣＨ＝ＣＨ−または炭素数１〜１２のアルキレンであり、
Ｒ2は、−Ｈ、−Ｆまたは−ＣＨ3であり、
Ｒ5はそれぞれ独立して、−Ｈまたは−ＣＨ3であり、
Ｒ6は、−Ｈまたは炭素数１〜２０のアルキルまたはアルケニルであり、
ａおよびｂはそれぞれ独立して０〜４の整数を表し、
ｃおよびｄはそれぞれ独立して０〜３の整数であり、ｅは０〜２の整数であり、
環Ｔはシクロヘキサンまたはシクロヘキセンである。］
［式（Ｉ'）中、Ｒ26は水素原子であり、
５個のＲ27は、それぞれ独立に、水素原子；ハロゲン原子；または酸素原子、窒素原子、イオウ原子もしくはケイ素原子を含む連結基を有していてもよい置換もしくは非置換の炭素原子数１〜３０の１価の炭化水素基；または１価の極性基を表し、Ｒ27の少なくとも一つはフッ素原子を含む置換基であるか、又は
５個のＲ27の一つは炭素数１〜３０のアルコキシを表し、残りは水素原子を表す。］